(57)【特許請求の範囲】
【請求項１】
箱内に整列して収容された複数の柱状物品間に介在して箱内を仕切る仕切体において、
第１横仕切板と、該第１横仕切板の左側縁に折目線を介して連設された第１縦仕切板と、該第１縦仕切板の左側縁に折目線を介して連設された第２横仕切板と、第１横仕切板の右側縁に折目線を介して連設された第２縦仕切板とを備え、
第１縦仕切板を折目線に沿って第１横仕切板に対して直角に折り曲げ、第２横仕切板を折目線に沿って第１横仕切板と対向する方向に直角に折り曲げ、第２縦仕切板を折目線に沿って第１縦仕切板と対向する方向に直角に折り曲げ、更に、第２縦仕切板と第２横仕切板とを交差させて組み立てられ、
第２横仕切板は、少なくとも第２縦仕切板との交差位置から該第２横仕切板の外側端縁にかけて第２縦仕切板を受け入れ自在に開放するコ字形の開放部を備え、
該開放部は、該開放部を介して第２横仕切板と交差した第２縦仕切板を係止する係止部を備え、
前記第２縦仕切板は、該第２縦仕切板を前記第１横仕切板に対して直角に折り曲げた際に、第１横仕切板の一部から切り抜き遊離して第２縦仕切板と同一仕切方向に延出する縦仕切小片を一体に備え、
前記第１横仕切板は、第２縦仕切板を第１横仕切板に対して直角に折り曲げた際に、第２縦仕切板の一部から切り抜き遊離して第１横仕切板と同一仕切方向に延出する横仕切小片を一体に備え、
第１縦仕切板と第２縦仕切板との間に、第２横仕切板に折目線を介して連設され且つ該折目線の一側方の第２横仕切板の一部から切り抜き遊離して第１横仕切板に向かって折り曲げられる第３縦仕切板を設け、
第３縦仕切板は、第２横仕切板対して直角に折り曲げた際に、第１横仕切板に形成された貫通孔に貫通させて第１横仕切板に直交する方向に延出する貫通片と、第３縦仕切板を折り曲げる前記折目線の他側方の第２横仕切板の一部から切り抜き遊離して第３縦仕切板と一体に且つ第３縦仕切板と同一仕切面上に延出する縦仕切小片とを備えることを特徴とする仕切体。
【請求項２】
前記第２横仕切板の開放部は、前記第３縦仕切板が第２横仕切板から切り抜き遊離されることにより形成されることを特徴とする請求項１記載の仕切体。
【請求項３】
前記第１縦仕切板が、前記第１横仕切板の一部から切り抜き遊離して第１縦仕切板と一体に且つ第１縦仕切板と同一仕切面上に延出する縦仕切小片を備えるとき、
前記第１横仕切板の貫通孔は、該縦仕切小片が第１横仕切板から切り抜き遊離されることにより形成されることを特徴とする請求項１又は２記載の仕切体。
【請求項４】
前記第１縦仕切板は、該第１縦仕切板を前記第１横仕切板に対して直角に折り曲げた際に、第１横仕切板の一部から切り抜き遊離して第１縦仕切板と同一仕切方向に延出する縦仕切小片と、前記第２横仕切板を第１縦仕切板に対して直角に折り曲げた際に、第２横仕切板の一部から切り抜き遊離して第１縦仕切板と同一仕切方向に延出する縦仕切小片とを一体に備え、
前記第１横仕切板は、第１縦仕切板を第１横仕切板に対して直角に折り曲げた際に、第１縦仕切板の一部から切り抜き遊離して第１横仕切板と同一仕切方向に延出する横仕切小片を一体に備え、
前記第２横仕切板は、該第２横仕切板を第１縦仕切板に対して直角に折り曲げた際に、第１縦仕切板の一部から切り抜き遊離して第２横仕切板と同一仕切方向に延出する横仕切小片を一体に備えることを特徴とする請求項１乃至３の何れか１項記載の仕切体。
【請求項５】
前記第２縦仕切板の右側縁に、該第２縦仕切板の右側縁を介して左右対称形状となる他の第２縦仕切板、他の第１横仕切板、他の第１縦仕切板、他の第２横仕切板、及び、他の第３縦仕切板が連設されていることをことを特徴とする請求項１乃至４の何れか１項記載の仕切体。
【発明の詳細な説明】
【技術分野】
【０００１】
本発明は、箱内に整列して収容された複数の柱状物品間に介在して箱内を仕切る仕切体に関する。
【背景技術】
【０００２】
従来、一枚の板材を折り曲げるだけで形成することができる仕切体が知られている（例えば、特許文献１参照）。この種の仕切体は、縦仕切板の両側縁に折目線を介して連設された一対の横仕切板を折目線に沿って互いに平行となるように折り曲げ、更に、各横仕切板に切込形成された複数の縦仕切片を各横仕切板から遊離させて横仕切板に対して直角に折り曲げることによって形成される。そして、このようにして組み立てられた仕切体を箱内に収容し、仕切体によって区画された部分に物品を収納する。これによって、物品間には各仕切板及び仕切片が介在し、物品同士の接触が防止される。
【０００３】
しかし、このような構成の仕切体によると、一対の横仕切板を縦仕切板の両側縁から折り曲げた後、箱内に未収納の状態では、縦仕切板に対する両横仕切板の折り曲げ状態を維持することができない。このため、組み立てた後に仕切体を箱内に収容するときには、両横仕切板の間隔が所望の間隔にならず、折り曲げ状態を整えながら箱内に収容する作業が必要となり、作業効率が悪い。
【０００４】
そこで、一方の横仕切板の先端に折目線を介して他の縦仕切板を連設し、他方の横仕切板の先端に接着片を連設して、他の縦仕切板を折目線に沿って折り曲げた後に接着片を他の縦仕切板に接着することが行われる。しかし、接着片を設けた分、仕切体を形成するための板材の形状が大きくなるだけでなく、接着剤の塗布作業のために組み立て工数が増加し、材料コストや作業コストが増加する不都合がある。
【０００５】
また、従来の前記構成の仕切体によると、一対の横仕切板を縦仕切板の両側縁から折り曲げた後に、各横仕切板から複数の縦仕切片を一つずつ折り曲げるために、多くの作業工数を必要とし、作業効率が悪い。そればかりか、各横仕切板から遊離させて横仕切板に対して直角に折り曲げられた複数の縦仕切片は、物品が未収納状態では、その折り曲げ状態を維持することができない。このため、仕切体を箱内に収容しても、各縦仕切片の姿勢を整えながら物品を収納しなければならず、使い勝手が悪い不都合がある。
【特許文献１】特表平９−５０４２５９号公報
【発明の開示】
【発明が解決しようとする課題】
【０００６】
かかる不都合を解消して、本発明は、一枚の板材を折り曲げるだけで組み立てることができるだけでなく、組み立てが極めて容易であって且つ組み立て状態を確実に維持することができる仕切体を提供することを目的とする。
【課題を解決するための手段】
【０００７】
かかる目的を達成するために、本発明の仕切体は、第１横仕切板と、該第１横仕切板の左側縁に折目線を介して連設された第１縦仕切板と、該第１縦仕切板の左側縁に折目線を介して連設された第２横仕切板と、第１横仕切板の右側縁に折目線を介して連設された第２縦仕切板とを備えている。そして、第１縦仕切板を折目線に沿って第１横仕切板に対して直角に折り曲げ、第２横仕切板を折目線に沿って第１横仕切板と対向する方向に直角に折り曲げ、第２縦仕切板を折目線に沿って第１縦仕切板と対向する方向に直角に折り曲げ、更に、第２縦仕切板と第２横仕切板とを交差させて組み立てられる。このとき、第２横仕切板は、少なくとも第２縦仕切板との交差位置から該第２横仕切板の外側端縁にかけて第２縦仕切板を受け入れ自在に開放するコ字形の開放部を備え、該開放部は、該開放部を介して第２横仕切板と交差した第２縦仕切板を係止する係止部を備えている。
更に、前記第２縦仕切板は、該第２縦仕切板を前記第１横仕切板に対して直角に折り曲げた際に、第１横仕切板の一部から切り抜き遊離して第２縦仕切板と同一仕切方向に延出する縦仕切小片を一体に備え、前記第１横仕切板は、第２縦仕切板を第１横仕切板に対して直角に折り曲げた際に、第２縦仕切板の一部から切り抜き遊離して第１横仕切板と同一仕切方向に延出する横仕切小片を一体に備え、第１縦仕切板と第２縦仕切板との間に、第２横仕切板に折目線を介して連設され且つ該折目線の一側方の第２横仕切板の一部から切り抜き遊離して第１横仕切板に向かって折り曲げられる第３縦仕切板を設け、第３縦仕切板は、第２横仕切板対して直角に折り曲げた際に、第１横仕切板に形成された貫通孔に貫通させて第１横仕切板に直交する方向に延出する貫通片と、第３縦仕切板を折り曲げる前記折目線の他側方の第２横仕切板の一部から切り抜き遊離して第３縦仕切板と一体に且つ第３縦仕切板と同一仕切面上に延出する縦仕切小片とを備えている。
【０００８】
このように、本発明によれば、各折目線を介して各仕切板を同一周回方向に折り曲げるだけで組立てることができ、組み立て作業を極めて容易に且つ迅速に行うことができる。しかも、第２縦仕切板が第２横仕切板の開放部を介して第２横仕切板と交差されたときに、第２縦仕切板は開放部の係止部に係止されて、第２横仕切板に確実に連結された状態となるので、仕切体の組み立て完了と同時にその組み立て状態を確実に維持することができる。
【００１０】
また、縦仕切小片及び横仕切小片は、第２縦仕切板を第１横仕切板に対して直角に折り曲げたときに第１横仕切板の一部及び第２縦仕切板の一部から遊離して形成されるので、組み立て工数や部品数を増加させることなく仕切区画数を増加させることができる。
更に、前記第３縦仕切板を第２横仕切板から遊離させて第１横仕切板に対して直角となるように折り曲げるだけで、部品数を増加させることなく仕切区画数を増加させることができる。このとき、第３縦仕切板は第１横仕切板を貫通して外側に延出する貫通片を備えるので、該貫通片は第１横仕切板の外側に位置する物品間に介在する仕切片として作用する。同じように、第３縦仕切板と同一仕切面上に延出する縦仕切小片は、第２横仕切板の外側に位置する物品間に介在する仕切片として作用する。
【００１１】
また、このとき、前記第２横仕切板の開放部は、前記第３縦仕切板が第２横仕切板から切り抜き遊離されることにより形成されることが好ましい。これによれば、開放部を形成するために第２横仕切板を切り取ることもなく、開放部に位置した部分を第３縦仕切板として用いることができ、しかも、第３縦仕切板を十分な長さをもって形成することができるので、区画数の比較的多い仕切体を一枚の板材から効率よく形成することができる。
【００１２】
更に、本発明において、前記第１縦仕切板が、前記第１横仕切板の一部から切り抜き遊離して第１縦仕切板と一体に且つ第１縦仕切板と同一仕切面上に延出する縦仕切小片を備えるとき、前記第１横仕切板の貫通孔は、該縦仕切小片が第１横仕切板から切り抜き遊離されることにより形成されることが好ましい。これによれば、貫通孔に位置した部分を縦仕切小片として用いることができ、しかも、このとき形成される縦仕切小片を十分な長さとすることができるので、区画数の比較的多い仕切体を一枚の板材から効率よく形成することができる。
【００１３】
このとき更に、前記第１縦仕切板が、該第１縦仕切板を前記第１横仕切板に対して直角に折り曲げた際に、第１横仕切板の一部から切り抜き遊離して第１縦仕切板と同一仕切方向に延出する縦仕切小片と、前記第２横仕切板を第１縦仕切板に対して直角に折り曲げた際に、第２横仕切板の一部から切り抜き遊離して第１縦仕切板と同一仕切方向に延出する縦仕切小片とを一体に備え、前記第１横仕切板が、第１縦仕切板を第１横仕切板に対して直角に折り曲げた際に、第１縦仕切板の一部から切り抜き遊離して第１横仕切板と同一仕切方向に延出する横仕切小片を一体に備え、前記第２横仕切板が、該第２横仕切板を第１縦仕切板に対して直角に折り曲げた際に、第１縦仕切板の一部から切り抜き遊離して第２横仕切板と同一仕切方向に延出する横仕切小片を一体に備えていてもよい。こうすることで、各折目線を介して各仕切板を同一周回方向に折り曲げたとき同時に各縦仕切小片及び各横仕切小片が形成されるので、組み立て工数や部品数を増加させることなく更に多くの仕切区画数を得ることができる。
【００１７】
また、前記第２縦仕切板の右側縁に、該第２縦仕切板の右側縁を介して左右対称形状となる他の第２縦仕切板、他の第１横仕切板、他の第１縦仕切板、他の第２横仕切板、及び、他の第３縦仕切板を連設することで、簡単な構成で作業工数の増加を少なく抑えて仕切区画数を増加させることができる。
【発明を実施するための最良の形態】
【００１８】
先ず、本発明の第１実施形態を図１乃至図３に基づいて説明する。図１は第１実施形態の仕切体を示す説明的斜視図、図２は第１実施形態の仕切体の展開図、図３は第１実施形態の仕切体の説明的平面図である。
【００１９】
第１実施形態の仕切体Ａは、図１に示すように組立てられた状態で図示しない箱内に収められて箱内を複数に区画（第１実施形態においては１２区画）するものであり、各区画内に図示しない柱状物品を収納することにより物品同士の接触を防止するものである。仕切体Ａは、図２に示す一枚の略矩形状の段ボール板紙から形成される。即ち、板紙は、図２に示すように、第１横仕切板１と、該第１横仕切板１の左側縁に上下一対の第１折目線２を介して連設された第１縦仕切板３と、該第１縦仕切板３の左側縁に上下一対の第２折目線４を介して連設された第２横仕切板５と、第１横仕切板１の右側縁に上下一対の第３折目線６を介して連設された第２縦仕切板７とを備えている。更に、第２横仕切板５には上下一対の第４折目線８を介して第３縦仕切板９が連設されている。
【００２０】
第１横仕切板１には貫通孔１０が打抜き形成されている。また、第１横仕切板１は、第１折目線２の一端から第１縦仕切板３の上下側に延びる一対の第１切込１１によって第１縦仕切板３から遊離自在とされた上下一対の第１横仕切小片１２を一体に備えている。更に、第１横仕切板１は、第３折目線６の一端から第２縦仕切板７の上下側に延びる一対の第２切込１３によって第２縦仕切板７から遊離自在とされた上下一対の第２横仕切小片１４を一体に備えている。
【００２１】
第１縦仕切板３は、先端部が第１横仕切板１の貫通孔１０内に突出し、第１折目線２の他端から貫通孔１０に延びる一対の第３切込１５によって第１横仕切板１から遊離自在とされた舌片状の第１縦仕切小片１６を一体に備えている。更に、第１縦仕切板３は、第２折目線４の一端から第２横仕切板５の上下側に延びる一対の第４切込１７によって第２横仕切板５から遊離自在とされた上下一対の第２縦仕切小片１８を一体に備えている。
【００２２】
第２横仕切板５は、第２折目線４の他端同士を結んで大略コ字形に形成された第５切込１９によって第１縦仕切板３から遊離自在とされた舌片状の第３横仕切小片２０を一体に備えている。
【００２３】
第２縦仕切板７は、第３折目線６の他端から貫通孔１０に至る一対の第６切込２１によって第１横仕切板１から遊離自在とされた舌片状の第３縦仕切小片２２を一体に備えている。
【００２４】
第３縦仕切板９は、第４折目線８の一端から第２横仕切板５の左側縁に向かって延びる一対の第７切込２３によって第２横仕切板５から遊離自在とされている。第７切込２３は第２横仕切板５の左端部においてその間隔が大とされている。
【００２５】
第２横仕切板５は第３縦仕切板９によって第４折目線８から左側縁にかけて上下一対に分割された形状とされる。第３縦仕切板９が遊離することによって、第２横仕切板５には、後述するように、第２縦仕切板７を受け入れ自在に開放するコ字形の開放部２４が形成される。また、第７切込２３に連なる第２横仕切板５の第４折目線８から左側縁の間の内側縁には、段差状の係止部２５が切欠き形成されており、後述するように、開放部２４を介して第２横仕切板５と交差した第２縦仕切板７が、係止部２５によって係止される。
【００２６】
一方、係止部２５が形成された近傍位置から左側縁にかけては、第３縦仕切板９に一体に連設された貫通片２６を形成している。該貫通片２６は、後述するように、第１横仕切板１に形成された貫通孔１０に貫通する。なお、貫通片２６は、貫通孔１０に貫通した状態で第１横仕切板１の外方に延出する縦仕切小片として機能する。
【００２７】
更に、第３縦仕切板９は、第４折目線８の他端同士を結んで大略コ字形に形成された第８切込２７によって第２横仕切板５から遊離自在とされた舌片状の第４縦仕切小片２８を一体に備えている。
【００２８】
以上のように構成された板紙から仕切体Ａを形成するときには、第１〜第４折目線（２，４，６，８）を同一周回方向に折り曲げつつ、貫通片２６を貫通孔１０に貫通させ、最後に第２縦仕切板７を開放部２４に入れて第２横仕切板５と交差させ係止部２５に係止させるといった極めて簡単な作業により、図３に示す格子状に形成することができる。
【００２９】
このときの組み立て作業を図２を参照して更に詳しく順を追って説明すれば、まず、第１折目線２に沿って第１縦仕切板３を折り曲げる。このとき、第１横仕切小片１２が第１切込１１を介して第１縦仕切板３から遊離し、第１縦仕切小片１６が第３切込１５を介して第１横仕切板１から遊離する。更に、第１縦仕切小片１６が第１横仕切板１から遊離することにより、第１横仕切板１の貫通孔１０が大きく開放される。次いで、第２折目線４に沿って第２横仕切板５を第１折目線２の折り曲げ方向と同じ方向に折り曲げる。このとき、第２縦仕切小片１８が第４切込１７を介して第２横仕切板５から遊離し、第３横仕切小片２０が第５切込１９を介して第１縦仕切板３から遊離する。続いて、第４折目線８に沿って第３縦仕切板９を第２折目線４の折り曲げ方向と同じ方向に折り曲げて第７切込２３を介して第２横仕切板５から遊離させる。このとき、第４縦仕切小片２８は第８切込２７を介して第２横仕切板５から遊離する。次に、第４折目線８に沿って第３縦仕切板９を第２横仕切板５に対して一旦僅かに鋭角に折り曲げ、第３縦仕切板９の貫通片２６を第１横仕切板１の貫通孔１０に挿入して貫通させる。貫通孔１０は、第１縦仕切小片１６が第１横仕切板１から遊離することにより大きく開放されているので、貫通孔１０への貫通片２６の挿入作業は極めて容易となっている。また、この時点で、第１横仕切板１と第２横仕切板５とは略対向した状態となる。そして、第２縦仕切板７を第３折目線６に沿って折り曲げて、第２縦仕切板７を第２横仕切板５の開放部２４に進入させ、第２横仕切板５と第２縦仕切板７とを交差させる。その後、図１に示すように、開放部２４の係止部２５に第２縦仕切板７の上下端縁を係止させる。この時点で、第１折目線２、第２折目線４、及び第３折目線６に沿って形成された角部が実質的に直角となる。更に、貫通片２６を貫通孔１０に挿入するために一旦僅かに鋭角とされた第４折目線８による角部は、段ボールが有する復元力によって開く方向に戻され、貫通片２６が貫通孔１０の内側縁に当接して実質的に直角となった状態を維持する。
【００３０】
以上の説明から明らかなように、第１実施形態の仕切体Ａは、４つの折目線（第１折目線２、第２折目線４、第３折目線６、及び第４折目線８）を折り曲げるだけで、格子状に形成することができる。
【００３１】
次に、本発明の第２実施形態の仕切体Ｂについて図４及び図５を参照して説明する。図４は第２実施形態の仕切体の展開図、図５は第２実施形態の仕切体の説明的平面図である。第２実施形態の仕切体Ｂは、図４に展開して示すように、前述した図２示の第１実施形態の仕切体Ａを、第２縦仕切板７の右側縁を介して左右対称に設けたものである。即ち、前記第２縦仕切板７の右側縁に、該第２縦仕切板７の右側縁を介して左右対称形状となるように、他の第２縦仕切板７´、他の第１横仕切板１´、他の第１縦仕切板３´、他の第２横仕切板５´、及び、他の第３縦仕切板９´が連設されている。こうすることによって、図５に示すように、箱内区画数を容易に増加させることができ、前述した図２示の第１実施形態の仕切体Ａの組み立てを繰り返すことで、極めて簡単に組立てることができる。
【００３２】
次に、本発明の第３実施形態の仕切体Ｃについて図６及び図７を参照して説明する。図６は第３実施形態の仕切体の展開図、図７は第３実施形態の仕切体の説明的平面図である。第３実施形態の仕切体Ｃは、図７に平面視して示すように、前述した図３示の第１実施形態の仕切体Ａにおける第１横仕切小片１２、第１縦仕切小片１６、第２縦仕切小片１８、及び第３横仕切小片２０を形成しないものである。即ち、第３実施形態の仕切体Ｃは、図６に展開して示すように、第１折目線２及び第２折目線４を上下方向の全幅にわたって形成し、第１縦仕切板３を矩形状に形成する。そして、第３実施形態の仕切体Ｃにおいては第１縦仕切板３が図示しない箱内面に重合される。こうすることによって、組み立て手順を全く変えることなく、図７に示すように、区画数の異なる（第１実施形態の仕切体Ａより区画数の少ない）仕切体Ｃを得ることができる。また、本発明の第４実施形態の仕切体Ｄとして図８及び図９に示すように、前述した図６示の第３実施形態の仕切体Ｃを、第２縦仕切板７の右側縁（仮想線示）を介して左右対称に設けてもよい。これにより、構造簡単に区画数を増加させることができる。
【００３７】
なお、前述した各実施形態の仕切体の材料として段ボール板紙が採用されることは既に述べたが、それ以外の材料としては、厚手のボール紙や合成樹脂製板材を挙げることができる。
【図面の簡単な説明】
【００３８】
【図１】本発明の第１実施形態の仕切体を示す説明的斜視図。
【図２】第１実施形態の仕切体の展開図。
【図３】第１実施形態の仕切体の説明的平面図。
【図４】本発明の第２実施形態の仕切体の展開図。
【図５】第２実施形態の仕切体の説明的平面図。
【図６】本発明の第３実施形態の仕切体の展開図。
【図７】第３実施形態の仕切体の説明的平面図。
【図８】本発明の第４実施形態の仕切体の展開図。
【図９】第４実施形態の仕切体の説明的平面図。
【符号の説明】
【００３９】
Ａ，Ｂ，Ｃ，Ｄ…仕切体、１，１´…第１横仕切板、３，３´…第１縦仕切板、５，５´…第２横仕切板、７，７´…第２縦仕切板、９，９´…第３縦仕切板、１０…貫通孔、１２…第１横仕切小片（横仕切小片）、１４…第２横仕切小片（横仕切小片）、１６…第１縦仕切小片（縦仕切小片）、１８…第２縦仕切小片（縦仕切小片）、２０…第３横仕切小片（横仕切小片）、２２…第３縦仕切小片（縦仕切小片）、２４…開放部、２５…係止部、２６…貫通片、２８…第４縦仕切小片（縦仕切小片）。
【図１】
0004669365.tif 000002
【図２】
0004669365.tif 000003
【図３】
0004669365.tif 000004
【図４】
0004669365.tif 000005
【図５】
0004669365.tif 000006
【図６】
0004669365.tif 000007
【図７】
0004669365.tif 000008
【図８】
0004669365.tif 000009
【図９】
0004669365.tif 000010